(57)【特許請求の範囲】
【請求項１】
ベッド装置側部側に配置した支柱部と、この支柱部により支持する柵部とを具備し、この柵部は、ボトム側に対向する面と、ボトム側方外側の面とを反転配置可能に構成すると共に、ボトム側に対向する面と、ボトム側方外側の面双方に、備品を装着するための備品収容部をそれぞれ設けたことを特徴とするベッド装置における側柵装置。
【請求項２】
ベッド装置側部側に、ボトムの下方からボトム上方に突出可能に装着した支柱部と、この支柱部によって支持した柵部とを具備し、この柵部は、ボトム側に対向する面と、ボトム側方外側の面とを反転配置可能に構成すると共に、ボトム側に対向する面と、ボトム側方外側の面双方に、備品を装着するための備品収容部をそれぞれ設けたことを特徴とするベッド装置における側柵装置。
【請求項３】
前記備品収容部は、柵部外面に平行な中心面を含む中壁で仕切った備品を配置する凹所を有し、この凹所のうち備品の非装着側をカバーによって閉成してなることを特徴とする請求項１または２記載のベッド装置における側柵装置。
【請求項４】
前記備品収容部は、備品を収容する凹部として構成したことを特徴とする請求項１または２記載のベッド装置における側柵装置。
【発明の詳細な説明】
【０００１】
【発明の属する技術分野】
本発明は、ベッド装置における側柵装置において、柵部にリモコンスイッチ等の備品を表側裏側のどちらにも装着可能な構造とした、ベッド装置における側柵装置に関するものである。
【０００２】
【従来の技術】
従来、ベッド装置（病院用ベッド装置、在宅用ベッド装置、移送用ベッド装置、ＩＣＵベッド装置）に設けられる側柵装置には、差込柵といわれるものの他、必要時にのみ、ボトム側面側をカバーするように持ち上げ支持することができるようにした格納型側柵装置がある。この格納型側柵装置によれば、差込柵のように、いちいち取り外したり、装着したりする手間が省け、使い勝手がよい。
【０００３】
【発明が解決しようとする課題】
しかしながらかかる側柵装置は、ボトム側方側に面する表面とボトム側に面する裏面とがあり、裏面のみに手元スイッチ等の備品を装着可能に構成しているので、例えば一つのベッドの背ボトム側、足ボトム側に前記側柵装置を装着する場合は、２種類のタイプの柵部が必要であった。
このため、柵部が合成樹脂製成形体で構成する場合、金型は２種類必要であり、部品点数はその分多くなり、製造コストアップの要因となる。
本発明は、以上のような課題を改善するために提案されたものであって、ベッド装置における側柵装置において、柵部にリモコンスイッチ等の備品を表側裏側のどちらにも装着可能な構造とした、ベッド装置における側柵装置を提供することを目的とする。
【０００４】
【課題を解決するための手段】
前記した課題を解決するために、本発明では、請求項１において、ベッド装置側部側に配置した支柱部と、この支柱部により支持する柵部とを具備し、この柵部は、ボトム側に対向する面と、ボトム側方外側の面とを反転配置可能に構成すると共に、ボトム側に対向する面と、ボトム側方外側の面双方に、備品を装着するための備品収容部をそれぞれ設けたベッド装置における側柵装置を提案する。
また本発明では、請求項２において、ベッド装置側部側に、ボトムの下方からボトム上方に突出可能に装着した支柱部と、この支柱部によって支持した柵部とを具備し、この柵部は、ボトム側に対向する面と、ボトム側方外側の面とを反転配置可能に構成すると共に、ボトム側に対向する面と、ボトム側方外側の面双方に、備品を装着するための備品収容部をそれぞれ設けたベッド装置における側柵装置を提案する。
また本発明では、請求項３において、前記備品収容部は、柵部外面に平行な中心面を含む中壁で仕切った備品を配置する凹所を有し、この凹所のうち備品の非装着側をカバーによって閉成してなるベッド装置における側柵装置を提案する。
さらに本発明では、請求項４において、前記備品収容部は、備品を収容する凹部として構成したベッド装置における側柵装置を提案する。
【０００５】
請求項１、２によれば、備品を柵部のボトム側に対向する面と、ボトム側方外側の面のうち、いずれかの面に選択的に装着することができるので、介護者の都合や使用者の傷病状況に応じた使い方が可能である。
【０００６】
請求項３によれば、柵部を成形する金型は一種類で済み、製造コストを抑え、且つ部品点数を削減することができる。
【０００７】
請求項４によれば、成形金型をより単純なものとすることができる。
【０００８】
【発明の実施の態様】
次に、本発明にかかるベッド装置における側柵装置について、一つの実施の形態を示し、添付の図面に基づいて以下説明する。
図１、図２にベッド装置における側柵装置１を示す。
この側柵装置１は、ベッドにおける背に対応するボトム２や、足に対応するボトム（図示省略）の、ベッド幅方向端面側に、ボトム２下方から上方に突出可能に設けられるもので、ボトム２下方から上方に突出可能に装着した支柱部３を有し、この支柱部３上端側に回動可能に柵部４を支持した構成としている。この場合、図１では、柵部４のボトム２側方外側に面する一方面４ｆを示し、図２では、柵部４のボトム２側に面する他方面４ｒを示している。
そして、かかる柵部４の一方面４ｆ、他方面４ｒには、後述するが備品収容部５が設けられている。
【０００９】
前記支柱部３は、ボトム２のベッド幅方向端面側に設けられた取付部材Ｖに、基端部を回動自在に取り付ける一方、上端部を柵部４に回動可能に取り付けた第１のステー６と、この第１ステー６両側面に隣接するように基端部を取り付けると共に、上端部を前記柵部４に回動可能に取り付けた第２、第３のステー７、８とを有している。この場合、これら第１〜第３ステー６〜８の基端部の取付部材Ｖにおける取り付け間隔と、第１〜第３ステー６〜８の上端部の柵部４における取り付け間隔とを等間隔として、柵部４を常時、鉛直方向に指向した状態で支持するようにしている。
すなわち前記第１〜第３ステー６〜８と柵部４とは、柵部４下端側中間箇所に形成した第１ステー６受け用の取付切込部９と、取付切込部９の両側に設けた、第２、第３ステー７、８受け用の凸状受部１０、１１とにおいて、それぞれ第１〜第３ステー６〜８を係合させて、取付軸（図示省略）をそれぞれ挿通して回動可能に連結している。
そして前記第１ステー６の中央箇所には、周知構造のロックユニット１２が組み込まれている。
【００１０】
また、前記柵部４のボトム２側に面する他方面４ｒにおいて、図２に示すように備品収容部５に、備品である手元スイッチ１３を取り付けた、コードリール内蔵のケース１４を装着している。
【００１１】
以上のような側柵装置１において、前記柵部４は、周知の合成樹脂の一体成形体から構成されている（図３参照）。
前記備品収容部５は、第３ステー８受け用の凸状受部１１の上部箇所に位置し、備品である手元スイッチ１３におけるケース１４を配置する凹所１５を有している。なお、この凹所１５は、柵部４の他方面４ｒ側の備品収容部５にも形成され、これら一方面４ｆ、他方面４ｒの備品収容部５の凹所１５、１５を中壁１６で仕切っている。そしてかかる柵部４は、ボトム２側方外側に面する一方面４ｆと他方面４ｒ側とは側面の外形が同形状に形成されている（図４参照）。
【００１２】
前記双方の凹所１５、１５には、角形開口部１７が形成されている。また、前記凹所１５、１５を仕切る中壁１６には、ボトム２下のフレームに装着したコントロールボックス（図示省略）からのケーブルＣを挿通する通路１８が形成されている。かかるケーブルＣは、一方面４ｆ、他方面４ｒいずれの面の、前記角形開口部１７の下部側から引き出せるようにして、次いで前記凹所１５、１５をカバー１９によって覆うようにしている。
なお、柵部４の上部側には、柵部４を掴んで操作しやすくするための通孔部２０、２１を設けている。
【００１３】
以上のようなベッド装置における側柵装置１によれば、前記柵部４は、周知の合成樹脂の一体成形体から構成されており、前記ボトム２側方外側に面する一方面４ｆ、およびボトム２側に面する他方面４ｒは側面外形が同形状とし、一方面４ｆ、他方面４ｒいずれ側にも、手元スイッチ１３用のコードリール内蔵のケース１４を装着する備品収容部５を設けたので（図４参照）、ベッドの背ボトム側、足ボトム側に側柵装置１を取り付ける場合、一種類の柵部４をどの位置にも装着可能な互換性をもたせることができる。従って、かかる柵部４を形成するための金型は一種類で済み、部品点数を削減してコストを抑えることができる。
【００１４】
他方、一方面４ｆ、他方面４ｒいずれ側にも、手元スイッチ１３用のコードリール内蔵のケース１４を装着する備品収容部５を設けたことは、介護者や使用者の都合で、前記一方面４ｆ、他方面４ｒのうちのいずれかの備品収容部５に前記ケース１４を取り付けることができる（図５参照）。この場合、取り付けにあたっては、カバー１９を取り外してケース１４を前記備品収容部ねじ止めし、備品収容部５下部側から引き出されたケーブルＣを、ケース１４内のコードリールと結線して取り付けが完了する。なお、前記ケース１４を取り付けない方の備品収容部５は、カバー１９によって覆った状態であるので、外観上も安全上も好ましいものとなる（図１参照）。
【００１５】
以上、本発明にかかるベッド装置における側柵装置について、ベッド幅方向端面側に、ボトム２下方から上方に突出可能に設けられる側柵装置１を示して、説明したが、側柵装置は勿論差込型のものであってもよい。
また、柵部４の構造は当然一例であって、図６に示す柵部３０のように、成形金型をより単純なものとするために、備品収容部３１を単に凹部３２として形成してカバーのない構造としてもよい。
【００１６】
【発明の効果】
以上の通り、本発明によれば、
１．一種類の柵部で済むので、金型が一種類で足り、製造コストを抑制することができる。
２．一種類の柵部で一台のベッド装置の背ボトム側、足側ボトム側に設ける側柵装置として用いることができ、部品点数を削減してコスト抑制につながる。
３．介護者や、使用者の都合で、柵部の何れの面に備品を選択的に装着することができる。
【００１７】
【図面の簡単な説明】
【図１】本発明にかかる側柵装置の一例を示す、一方面からの正面図である。
【図２】図１に示す側柵装置の、他方面からの正面図である。
【図３】図１に示す側柵装置を構成する柵部の正面図である。
【図４】図３に示す柵部のＡ−Ａ線に沿って切断して見た、切断矢視図である。
【図５】備品を装着する際の、一側面断面図である。
【図６】本発明にかかる側柵装置における、他の実施態様にかかる柵部の一側面断面図である。
【符号の説明】
１                      側柵装置
２                      ボトム
３                      支柱部
４                      柵部
４ｆ                    一方面
４ｒ                    他方面
５                      備品収容部
６                      第１ステー
７                      第２ステー
８                      第３ステー
９                      取付切込部
１０，１１              受部
１２                    ロックユニット
１３                    手元スイッチ
１４                    ケース
１５                    凹所
１６                    中壁
１７                    開口部
１７ａ                  引出部
１８                    通路
１９                    カバー
２０、２１              通孔部
Ｃ                      ケーブル
３０                    柵部
３１                    備品収容部
３２                    凹部
【図１】
0003585223.tif 000002
【図２】
0003585223.tif 000003
【図３】
0003585223.tif 000004
【図４】
0003585223.tif 000005
【図５】
0003585223.tif 000006
【図６】
0003585223.tif 000007